(57)【特許請求の範囲】
【請求項１】
左右の長い支柱の上下個所を上側連結部材と下側連結部材で連結してはしご形の棚支持体を複数用意し、地面に左右が所定の間隔の支持穴を前後に所要数配列させて設け、左右の支持穴に前記棚支持体の支柱を挿入し下側連結部材が接地するまで同支柱を差し込んで前記棚支持体を前後に所要数配列させて立設し、前後に長い連接部材で各棚支持体の支柱上端を架設し、土を直接入れるか又は土を入れた容器を載せる栽培棚本体をそれぞれ前記連接部材によって支持して前後に配列させた棚支持体上部に栽培棚本体を取りつけるようにし、しかも左右に所定の間隔で配置した削孔棒を連結し、左右の中央に打設棒を設けた削孔具を用意し、打設棒を打設して左右の削孔棒を地面に差し込んで所定の左右間隔で支持穴を左右同時に設けるようにした、栽培棚の構築方法。
【請求項２】
左右の長い支柱の上下個所を上側連結部材と下側連結部材で連結してはしご形の棚支持体を複数用意し、地面に左右が所定の間隔の支持穴を前後に所要数配列させて設け、左右の支持穴に前記棚支持体の支柱を挿入し下側連結部材が接地するまで同支柱を差し込んで前記棚支持体を前後に所要数配列させて立設し、前後に長い連接部材で各棚支持体の支柱上端を架設し、土を直接入れるか又は土を入れた容器を載せる栽培棚本体をそれぞれ前記連接部材によって支持して前後に配列させた棚支持体上部に栽培棚本体を取りつけるようにし、しかも前後に長い下方連接部材で前後の下側連結部材を連結し、同下方連接部材を接地させて棚支持体の沈み込みを防止するようにした、栽培棚の構築方法。
【請求項３】
前後に長い下方連接部材で前後の下側連結部材を連結し、同下方連接部材を接地させて棚支持体の沈み込みを防止するようにした請求項１記載の栽培棚の構築方法。
【請求項４】
左右に所定の間隔で配置した上下に長い削孔棒を連結し、左右の中央に打設棒を垂設した栽培棚の支柱を差し込む支持穴を設けるための削孔具。
【発明の詳細な説明】
【０００１】
【発明の属する技術分野】
本発明は、作物の栽培を行う際に用いる栽培棚の構築方法及びそれに用いる削孔具に関する。
【０００２】
【従来の技術】
従来において、作物を育てるのに用いる栽培棚を設置するには、まず設置する場所をビニールシートで覆い、支柱を取り付ける場所が分かるように印を設ける。次に、支柱を取り付ける位置をドリルで削孔する。このようにして設けた支持穴に支柱を差し込み、支柱の上端を打ち込むようにして支柱を立設する。支柱は左右が所定の間隔になるようにし、前後が複数配列されるようにする。次に、前後に長い前後パイプによって左右それぞれの支柱を前後の支柱と連結する。次に、それぞれの左右の支柱を所定の高さで横方向に長い横パイプで連結する。次に、前後の横パイプ上に前後に長い支持パイプを所定の左右間隔ではり渡して連結する。この支持パイプ上に栽培棚本体を載せて固定する。
この設置作業では、横パイプは手作業によってそれぞれ金具で左右の支柱に取り付けられるため、左右の高さ、前後の高さを合わせるのが特に大変であった。また、後の高さの調整作業も大変であった。
また、効率よく大量に生産するために栽培棚は数十ｍのものが何列も設けられることが多く、支柱の本数が数百本となることもあるため非常に作業は大変で時間がかかっていた。
【０００３】
【発明が解決しようとする課題】
本発明が解決しようとする課題は、従来の問題点を解消し、栽培棚の設置作業が非常に容易になり、作業時間を大巾に短縮できる栽培棚の構築方法に関する。
【０００４】
【課題を解決するための手段】
かかる課題を解決した本発明の構成は、
１）  左右の長い支柱の上下個所を上側連結部材と下側連結部材で連結してはしご形の棚支持体を複数用意し、地面に左右が所定の間隔の支持穴を前後に所要数配列させて設け、左右の支持穴に前記棚支持体の支柱を挿入し下側連結部材が接地するまで同支柱を差し込んで前記棚支持体を前後に所要数配列させて立設し、前後に長い連接部材で各棚支持体の支柱上端を架設し、土を直接入れるか又は土を入れた容器を載せる栽培棚本体をそれぞれ前記連接部材によって支持して前後に配列させた棚支持体上部に栽培棚本体を取りつけるようにし、しかも左右に所定の間隔で配置した削孔棒を連結し、左右の中央に打設棒を設けた削孔具を用意し、打設棒を打設して左右の削孔棒を地面に差し込んで所定の左右間隔で支持穴を左右同時に設けるようにした、栽培棚の構築方法
２）  左右の長い支柱の上下個所を上側連結部材と下側連結部材で連結してはしご形の棚支持体を複数用意し、地面に左右が所定の間隔の支持穴を前後に所要数配列させて設け、左右の支持穴に前記棚支持体の支柱を挿入し下側連結部材が接地するまで同支柱を差し込んで前記棚支持体を前後に所要数配列させて立設し、前後に長い連接部材で各棚支持体の支柱上端を架設し、土を直接入れるか又は土を入れた容器を載せる栽培棚本体をそれぞれ前記連接部材によって支持して前後に配列させた棚支持体上部に栽培棚本体を取りつけるようにし、しかも前後に長い下方連接部材で前後の下側連結部材を連結し、同下方連接部材を接地させて棚支持体の沈み込みを防止するようにした、栽培棚の構築方法
３）  前後に長い下方連接部材で前後の下側連結部材を連結し、同下方連接部材を接地させて棚支持体の沈み込みを防止するようにした前記１）記載の栽培棚の構築方法
４）  左右に所定の間隔で配置した上下に長い削孔棒を連結し、左右の中央に打設棒を垂設した栽培棚の支柱を差し込む支持穴を設けるための削孔具
にある。
【０００５】
【作用】
本発明では、左右の長い支柱の上下箇所を上側連結部材と下側連結部材で連結してはしご形の棚支持体を複数用意する。この棚支持体を地面に設けた左右が所定の間隔の支持穴に支柱を差し込んで立設する。左右の支柱を別々に立設するのではなく、一度に立設する。よって作業の手間が半減される。棚支持体を立設する際には、下側連結部材が地面に接地するまで支柱を地面に差し込むようにすることで、地面からの棚支持体の左右の支柱の高さを所定の高さにできる。さらに、前後に長い連接部材で各棚支持体の支柱上端の前後それぞれを連結し、前後に長い栽培棚本体の左右両端部分を連接部材で支持するようにして左右２箇所で栽培棚本体を支持する。
削孔具で地面に支持穴を設けるようにしたものは、左右の削孔棒の中央に設けた打設棒を打設して所定の間隔の左右の支持穴を一度に設ける。
下方連接部材で前後の下側連結部材を連結し、下方連接部材を接地させたものは、栽培棚本体を支持する複数の棚支持体の連結の強度を強くし、前後に長い下方連接部材を接地させることで複数の棚支持体の一部又は全部の地中への沈み込みを防止する。
はしご形の棚支持体を複数前後に配置し、連接部材で棚支持体の支柱上端を架設し、栽培棚本体を係合させるように設けた栽培棚としたものは、左右の長い支柱の上下箇所を上側連結部材と下側連結部材で連結した棚支持体を前後に配置して栽培棚を支持するようにして効率よく栽培棚を構築する。
上側連結部材が、水平部材の左右所定位置の複数箇所に上下に貫通した支柱取付穴を設け、前面又は後面に左右方向に貫通した水平パイプ取付穴を有する取付部を設ける構造としたものは、支柱を支柱取付穴に貫通させて支柱を所定間隔の左右に容易に固定し、水平パイプ取付穴に水平パイプを取付けることができる。
下側連結部材が、広い下面を持つ水平部材の左右所定位置の複数箇所に上下に貫通した支柱取付穴を設け、前面又は後面に左右方向に貫通した水平パイプ取付穴を有する取付部を設けるようにしたものは、支柱を支柱取付穴に貫通させて、支柱を所定間隔の左右に容易に固定し、棚支持体を地面に差し込む際に水平部材の広い下面が地面に当たって差し込みが止まり、かつ棚支持体の地面への沈み込みを防止するようにする。
栽培棚本体が、前後に長い樋形状で左右の端部分を下方に折り返した構造にしたものは、連接部材に下方に折り返した左右の端部分を掛けて栽培棚本体を連接部材で保持する。
左右に所定の間隔で配置した削孔棒を連結し、左右の中央に打設棒を設けて削孔具としたものは、削孔具の打設棒上端を打設して左右の削孔棒を同時に地面に差し込んで支柱を差し込むための支持穴を設ける。
【０００６】
【発明の実施の形態】
作物としては、苺、きゅうり、トマト、花など様々なものがあり、栽培棚に入れた土の中に温度調整用パイプを埋設でき、排水又は所定量の水を底部分に保てるので、高度に環境を調整した栽培を行うことができる。
支柱、連接部材、下方連接部材には、金属製のパイプ、樹脂製のパイプ、木製の棒材などがあり、強度があればどのようなものを用いてもかまわない。
栽培棚本体には、上方が開口された容器型にして土を直接入れて栽培を行うものや、底が広い平面を持つようにして土を入れた容器を複数載置して用いるようにしたものなどがあり、どちらを用いるようにしてもよく、栽培する作物や栽培条件によって決めればよい。
上側連結部材及び下側連結部材の材質としては、樹脂、木、金属などがあり、軽量で強度が強いものが好ましい。
上側連結部材及び下側連結部材に取り付ける水平パイプは、栽培棚の強度の補強、また、栽培棚本体に取り付けたシートなどを斜め下方に伸ばすように固定するのに用いたり、栽培棚に附属させて用いるものを固定したりするのに用いたり、また、スジカイ等の補強材の取付にも使用できる。
【０００７】
【実施例】
本発明の各実施例について図面を参照して具体的に説明する。
実施例１（図１〜１２参照）
図１〜１２に示す実施例１は、はしご形の棚支持体を地面に設けた支持穴に立設し、連接部材で棚支持体の支柱上端を架設し、栽培棚本体を連接部材に取り付け、支持穴を削孔具で設けるようにし、棚支持体の下側連結部材を下方連接部材で連結した栽培棚の構築方法の例であって、上側連結部材が水平部材に上下に貫通した支柱取付穴と左右方向に貫通した水平パイプ取付穴を設けたものであり、下側連結部材が広い下面を持つ水平部材に上下に貫通した支柱取付穴と左右方向に貫通した水平パイプ取付穴を設けたものであり、栽培棚本体が前後に長い樋形状で左右の端部分を下方に折り返した構造であり、支持穴を設ける削孔具が左右の削孔棒を連結し、左右の中央に打設棒を設けたものである栽培棚の例である。図１は実施例１の栽培棚の構築方法で設置した栽培棚の斜視図である。図２は実施例１の栽培棚の構築方法で用いた上側連結部材の正面図である。図３は実施例１の栽培棚の構築方法で用いた上側連結部材の底面図である。図４は実施例１の栽培棚の構築方法で用いた下側連結部材の正面図である。図５は実施例１の栽培棚の構築方法で用いた下側連結部材の底面図である。図６は実施例１の栽培棚の構築方法で用いた削孔具を地面に打ち込んだ状態を示す説明図である。図７は実施例１の栽培棚の構築方法の説明図である。図８は実施例１の栽培棚の構築方法の説明図である。図９は実施例１の栽培棚の構築方法の説明図である。図１０は実施例１の栽培棚の構築方法で用いた下側連結部材に支柱パイプを取り付けた状態を示す断面図である。図１１は実施例１の栽培棚の構築方法で設置した栽培棚にマルチフィルムを取り付けた状態を示す説明図である。図１２は実施例１の栽培棚の構築方法で設置した栽培棚の説明図である。
図中、１は栽培棚、２は棚支持体、３は支柱として用いた支柱パイプ、４は上側連結部材、４ａは水平部材、４ｂは支柱取付穴、４ｃは取付部の水平パイプ取付穴、４ｄはねじ取付部、５は下側連結部材、５ａは水平部材、５ｂは支柱取付穴、５ｃは取付部の水平パイプ取付穴、５ｄはねじ取付部、６は連接部材として用いた連接パイプ、７は下方連接部材として用いた下方連接パイプ、８は栽培棚本体、９は水平パイプ、１０ははり出しパイプ、１１はタッピングねじ、１４は削孔具、１４ａは削孔棒、１４ｂは打設棒、１６は振動ハンマ、１８は移動車、１８ａは車輪、１８ｂは車輪、１８ｃは散布パイプ、１９はレールパイプ、２９は支持穴、３０は土である。
【０００８】
実施例１では、苺を栽培するための栽培棚１を構築する例である。まず、上側連結部材４は図２，３に示すように樹脂製の水平部材４ａに上下に貫通した支柱取付穴４ｂを所定の間隔で左右それぞれの３箇所に設ける。最も外側の支柱取付穴４ｂとその内側の支柱取付穴４ｂは中心同士の位置が近いため、一部が重なった形状になっている。さらに、それぞれの支柱取付穴４ｂの外側の一箇所にねじを支柱取付穴４ｂの軸直角方向から取り付けやすいように外側に突出させたねじ取付部４ｄを設ける。次に図２，３に示すように水平部材４ａの前面に横向きの円筒部分を左右２箇所に設け、水平パイプ取付穴４ｃとする。この水平パイプ取付穴４ｃの円筒部分のそれぞれの外側には、ねじを水平パイプ取付穴４ｃの軸直角方向から取り付けやすいように外側に突出させたねじ取付部材４ｄを設ける。次に下側連結部材５は、図４，５に示すように、樹脂製の水平部材５ａに上下に貫通した支柱取付穴５ｂを所定の間隔で左右それぞれの３箇所に設ける。最も外側の支柱取付穴５ｂとその内側の支柱取付穴５ｂは中心同士の位置が近いため、一部が重なった形状になっている。さらに、それぞれの支柱取付穴５ｂの外側の一箇所にねじを支柱取付穴５ｂの軸直角方向から取り付けやすいように外側に突出させたねじ取付部５ｄを設ける。次に図４，５に示すように水平部材５ａの前面に横向きの円筒部分を左右２箇所に設け、水平パイプ取付穴５ｃとする。この水平パイプ取付穴５ｃの円筒部分のそれぞれの外側には、ねじを水平パイプ取付穴５ｃの軸直角方向から取り付けやすいように外側に突出させたねじ取付部５ｄを設ける。
【０００９】
次に支柱パイプ３を左右に所定の幅で並行に配置し、上側連結部材４の所定の間隔で設けた左右の支柱取付穴４ｂに支柱パイプ３を貫通させ、さらに下側連結部材５の所定の間隔で設けた左右の支柱取付穴５ｂに支柱パイプ３を貫通させる。これによって左右の支柱パイプ３の上側を上側連結部材４で連結し、左右の支柱パイプ３の下側を下側連結部材５で連結するようにする。さらに、下側連結部材５から支柱パイプ３の上端までの長さが左右同じ所定の長さとなるようにする。このようにしてはしご形に組み付けたならば、支柱パイプ３を貫通させた支柱取付穴４ｂ，５ｂの外側に設けたねじ取付部４ｄ，５ｄに先端が尖った形状で硬質な材質のタッピングねじ１１を螺着し、ねじがねじ取付部４ｄ，５ｄの樹脂部分を通り、金属製の支柱パイプ３に先端が埋め込まれるようにする。これにより、上側連結部材４及び下側連結部材５と支柱パイプ３は強く固定される。このようにしてはしご形に組み付けた上側連結部材４、下側連結部材５、支柱パイプ３を棚支持体２とする。
連接パイプ６と下方連接パイプ７は長い金属製のパイプを用いている。
栽培棚本体８は、図１に示すように前後に長い樹脂製の樋状板の前後に側壁を設けて土を入れる容器部分とし、さらに樋状板の左右の端部分は下方に折り返した構造になっている。
水平パイプ９は所定長さの金属製のパイプを用いており、はり出しパイプ１０は長い金属製のパイプを用いている。
削孔具１４は、図６に示すように左右に支柱パイプ３と同じ所定の間隔で削孔棒１４ａを配置し、左右の削孔棒１４ａを水平な部材で連結し、左右の中央に打設棒１４ｂを設けたものである。削孔具１４の水平な部材の下面は設置させた際に安定するよう平面にしている。また打設棒１４ｂの上端は、左右の削孔棒１４ａの上端より上方に位置するようにする。
移動車１８は図１１に示すように荷台に車輪１８ａを設けて４輪車としたもので、移動車１８から上方に伸び、そこからさらに移動車１８から遠ざかる方向に折曲させた水平にパイプの水平部分下方に液体を散布できる噴口を設けて散布パイプ１８ｃとしている。
【００１０】
この栽培棚１を構築するには、まず、あらかじめ地面をビニールシートで覆い、ビニールシートに支柱パイプ３を差し込むための支持穴２９を設ける位置を示す目印をつけておく。次に図６に示すように削孔具１４の左右の削孔棒１４ａの下端をこの目印に当てて、手で少し差し込んでおいて削孔具１４の打設棒１４ｂの上端に振動ハンマ１６の打設部を打って、打設棒１４ｂの上端を打設して左右の削孔棒１４ａを同時に打ち込んで、支持穴２９を削孔する。このようにして削孔具１４で左右の支持穴２９を同時に設けることにより削孔作業は半減する。よって作業時間の短縮と作業の軽減化を行える。また、左右の削孔棒１４ａのどちらかが上下して傾いてしまった場合には、上方に位置する削孔棒１４ａの上端を振動ハンマ１６で打設して左右の削孔棒１４ａが垂直に近い状態になるようにして削孔を行うことができる。
さらに、この支持穴２９は前後に配列させて所定数設けるようにする。
このようにして、栽培棚１を構築する地面上に所定数の支持穴２９を配列させて設けたならば、次に、支持穴２９の前後の数と同じ数だけ準備した棚支持体２の左右の支柱パイプ３の下端を左右の支持穴２９に挿入し、棚支持体２を打設するようにして棚支持体２の下側連結部材５の水平部材５ａの下面が地面に当たって止まるまで棚支持体２を地面に差し込んで棚支持体２を立設する。このように、左右の支柱を別々で立設するのではなく、棚支持体２として同時に立設することによって立設作業は非常に容易になり、また作業が半減して作業時間を大幅に短縮できる。また、下側連結部材５から支柱パイプ３上端までの長さを所定長さとすることによって、下側連結部材５の水平部材５ａが地面に当たるまで差し込むようにすると、地面からの各支柱パイプ３の高さは所定高さに揃えられる。よって各支柱パイプ３の高さを揃える作業も軽減される。
また、地面の支柱パイプ３を差し込んだ場所が極端な凹凸になっているような場合には、棚支持体２の上側連結部材４と下側連結部材５との支柱パイプ３への固定に用いたタッピングねじを緩めて、支柱パイプ３の高さを調整し、再度タッピングねじで固定すればよい。
【００１１】
このようにして図８に示すように棚支持体２を前後に複数配列したならば、次に、図９に示すように棚支持体２の左右の支柱パイプ３の上端とそれぞれその後方の棚支持体の左右の支柱パイプ３の上端とに連接パイプ６を取り付ける。これによって各棚支持体が前後に連接されて、強固に栽培棚本体８を支持できるようになる。
次に棚支持体の下側連結部材５の片側の側方に前後に長い下方連接パイプ７を取り付けて、前後の棚支持体２の各下側連結部材５の片側が連接されて、強固に栽培棚本体８を支持できるようになる。
次に前後に配設された棚支持体２の支柱パイプ３の上端に前後に長く設けられた左右の連接パイプ６に栽培棚本体８を取り付ける。栽培棚本体８の左右両端の下方に折り返した部分を左右の連接パイプ６にそれぞれ掛けるようにして栽培棚本体８を取り付ける。
次に図１に示すように棚支持体２の上側連結部材４の左右の水平パイプ取付穴４ｃに水平パイプ９を取り付けて、水平パイプ取付穴４ｃから側方外部に突出させる。各棚支持体２の上側連結部材４に水平パイプ９を側方外部に突出させるようにして、側方に突出させた水平パイプ９の先端とその後方の水平パイプ９の先端をつなぐようにはり出しパイプ１０を設ける。
このようにして栽培棚１を設けることによって、非常に栽培棚１の設置作業は容易になり作業が減って作業時間も短くなる。
また、この栽培棚１は容易に取り外し、再構築ができるので再利用や長さの変更などが容易に変更できる。
水平パイプ９及びはり出しパイプ１０は、図１１に示すように栽培棚１に主に保温のために取り付けられるマルチフィルムの両端をはり出しパイプ１０に掛けるようにして斜め下方に伸ばす。栽培棚１で育てる作物が苺などのように実に日光を当てたいような場合には、このようにして、栽培棚から斜め下方に伸ばされるマルチフィルムに実を載せるようにして用いればよい。
図１２に示すように、栽培棚１で作物を栽培する際に作物に水や薬液を散布するのに用いる移動車１８を本実施例１では、片側の前後の車輪１８ａを取りはずし、外周の中央が凹んだ形状の車輪１８ｂに付けかえる。この車輪１８ｂを下方連接パイプ７の側方にレールとして用いるレールパイプ１９を設け、このレールパイプ１９に係合させて用いる。これによって移動車１８はスムーズに栽培棚に沿って移動できるようになる。よって容易に水や薬液の散布が行えるようになる。また、レールパイプ１９に係合させた移動車１８を遠隔操作や無人操作で操作して防除作業等を人の手をかけずに行うようにもできる。
さらに、栽培棚本体８の上端となる左右の下方への折り返し部分の上面部分を前後に伸びる二本のレールとして使用する運搬車を設けて使用すれば、土や苗を容易に運ぶことができ、非常に作業が楽に行える。このように栽培棚本体の上方を運搬車などが移動するようにしてもよい。
【００１２】
図１３に示すのは実施例１の他の例である。
図中、２０は水平パイプ、２１は斜め連接パイプ、２２は連接金具、２３は水平パイプである。
実施例１の他の例では、棚支持体２の上側連結部材４の左右の水平パイプ取付穴４ｃにそれぞれ取り付けた水平パイプ９の内側の端同士の間に水平パイプ９の内部に両端を挿入するようにして別の水平パイプ２０を取り付け、水平パイプ２０には、水平パイプ２０に対して軸直角方向にパイプを取り付けられるように連接金具２２を設ける。次に棚支持体２の下側連結部材５の左右の水平パイプ取付穴５ｃに一本の水平パイプ２３を取り付け、水平パイプ２３には水平パイプ２３に対して軸直角方向にパイプを取り付けられるように連接金具２２を設ける。次に、水平パイプ２０に取り付けた連接金具２２と水平パイプ２３に取り付けた連接金具２２を斜めの前後に連接するように斜め連接パイプ２１を取り付ける。これによってさらに強度を強くして栽培棚１を支持することができる。
その他符号、構成、作用、使い方は実施例１と同じである。
【００１３】
実施例２（図１４参照）
図１４に示す実施例２は、栽培棚本体として平面上の底面を持つ形状のものを用い、土を入れた容器を栽培棚本体上に載置して用いるようにした栽培棚の例である。
図１４は実施例２の栽培棚２の構成方法で設置した栽培棚の説明図である。
図中、２４は栽培棚本体、２５は栽培容器である。
実施例２では、図１４に示すように栽培棚本体２４として平面上の底面を持つ形状のものを用い、これを多数前後に並べるように連接パイプ６上に取り付け、栽培棚本体２４内に土を入れた栽培容器２５を並べるように載置して栽培を行う。このように栽培棚本体としては、どのようなものを用いてもよい。
その他符号、構成、作用、使い方は実施例１と同じである。
【００１４】
【発明の効果】
本発明によれば、栽培棚の設置作業が非常に容易になり、作業時間を大幅に短縮できる栽培棚の構築方法及びそれに用いる削孔具にできる。
削孔具で地面に支持穴を設けるようにしたものは、さらに作業を容易で作業時間を大幅に短縮できる。
下方連接部材で前後の下側の連結部材を連結し、下方連接部材を設置させたものは、より強度を強くして栽培棚を支持できるようにし、かつ棚支持体の一部又は全部の地中への沈み込みを防止して栽培棚が傾いたり、一部が下がったりして、散布される水が溜ってしまったり、水分の供給が偏ったりすることがないようにできる。  
左右に所定の間隔で配置した削孔棒を連結し、左右の中央に打設棒を設けて削孔具としたものは、一度に左右の支持穴を設けるようにしてさらに作業を減らすことができ作業時間が短縮できる。
【図面の簡単な説明】
【図１】実施例１の栽培棚の構築方法で設置した栽培棚の斜視図である。
【図２】実施例１の栽培棚の構築方法で用いた上側連結部材の正面図である。
【図３】実施例１の栽培棚の構築方法で用いた上側連結部材の底面図である。
【図４】実施例１の栽培棚の構築方法で用いた下側連結部材の正面図である。
【図５】実施例１の栽培棚の構築方法で用いた下側連結部材の底面図である。
【図６】実施例１の栽培棚の構築方法で用いた削孔具を地面に打ち込んだ状態を示す説明図である。
【図７】実施例１の栽培棚の構築方法の説明図である。
【図８】実施例１の栽培棚の構築方法の説明図である。
【図９】実施例１の栽培棚の構築方法の説明図である。
【図１０】実施例１の栽培棚の構築方法で用いた下側連結部材に支柱パイプを取り付けた状態を示す断面図である。
【図１１】実施例１の栽培棚の構築方法で設置した栽培棚にマルチフィルムを取り付けた状態を示す説明図である。
【図１２】実施例１の栽培棚の構築方法で設置した栽培棚の説明図である。
【図１３】実施例１の栽培棚の構築方法で設置した栽培棚の他の例を示す斜視図である。
【図１４】実施例２の栽培棚の構築方法で設置した栽培棚の説明図である。
【符号の説明】
１  栽培棚
２  棚支持体
３  支柱パイプ
４  上側連結部材
４ａ  水平部材
４ｂ  支柱取付穴
４ｃ  水平パイプ取付穴
４ｄ  ねじ取付部
５  下側連結部材
５ａ  水平部材
５ｂ  支柱取付穴
５ｃ  水平パイプ取付穴
５ｄ  ねじ取付部
６  連接パイプ
７  下方連接パイプ
８  栽培棚本体
９  水平パイプ
１０  はり出しパイプ
１１  タッピングねじ
１２  欠番
１３  欠番
１４  削孔具
１４ａ  削孔棒
１４ｂ  打設棒
１５  欠番
１６  振動ハンマ
１７  欠番
１８  移動車
１８ａ  車輪
１８ｂ  車輪
１８ｃ  散布パイプ
１９  レールパイプ
２０  水平パイプ
２１  斜め連接パイプ
２２  連接金具
２３  水平パイプ
２４  栽培棚本体
２５  栽培容器
２９  支持穴
３０  土
【図１】
0004480837.tif 000002
【図２】
0004480837.tif 000003
【図３】
0004480837.tif 000004
【図４】
0004480837.tif 000005
【図５】
0004480837.tif 000006
【図６】
0004480837.tif 000007
【図７】
0004480837.tif 000008
【図８】
0004480837.tif 000009
【図９】
0004480837.tif 000010
【図１０】
0004480837.tif 000011
【図１１】
0004480837.tif 000012
【図１２】
0004480837.tif 000013
【図１３】
0004480837.tif 000014
【図１４】
0004480837.tif 000015